(57)【要約】【課題】試料ステージを傾斜することなく、半導体ウェーハやデバイスなどの電子部品等の試料から所望の特定領域を含む微小試料を、分離または分離準備して、微小領域分析や観察、計測用の試料作製方法およびその試料作製装置を提供すること。【解決手段】集束イオンビームを試料表面に対して大きくとも９０度未満の照射角度で試料に照射し、目的とする微小試料周辺を取り除き、次に試料ステージを、試料表面に対する垂直線分を回転軸として回転させ、試料表面に対する集束イオンビームの照射角度は固定して試料に照射し、微小試料を分離または分離準備することを特徴とする試料作製方法。【選択図】図１
2008261891.tif 000002
【特許請求の範囲】
【請求項１】
試料ステージ上に試料を載置する工程と、
前記試料ステージの該試料の載置面に対して傾斜したイオンビームを該試料に照射することで、該試料を加工する第１の加工工程と、
前記試料ステージを回転させて、イオンビームを該試料に照射することで、該試料を加工する第２の加工工程と、
前記第２の加工工程で得られた微小試料を摘出する工程を有することを特徴とする試料作製方法。
【請求項２】
試料ステージ上に試料を載置する工程と、
前記試料ステージの該試料の載置面に対して傾斜したイオンビームを該試料に照射することで、該試料を加工する第１の加工工程と、
前記試料載置面上の該試料を回転させて、イオンビームを該試料に照射することで、該試料を加工する第２の加工工程と、
前記第２の加工工程で得られた微小試料を摘出する工程を有することを特徴とする試料作製方法。
【請求項３】
試料ステージ上に試料を載置する工程と、
前記試料ステージの該試料の載置面に対して、イオンビーム照射軸が３０度から７５度の範囲となるようイオンビームを該試料に照射する工程と、
前記工程の後に、該試料の表面の法線を回転軸として該試料を回転させ、イオンビームを該試料に照射し、該試料から微小試料を分離または分離準備する工程を有することを特徴とする試料作製方法。
【請求項４】
試料ステージ上に試料を載置する工程と、
前記試料ステージの該試料の載置面に対して、イオンビーム照射軸が３０度から７５度の範囲となるようイオンビームを該試料に照射する工程と、
前記工程の後に、該試料の表面の法線を回転軸として前記ステージを回転させ、イオンビームを該試料に照射し、該試料から微小試料を分離または分離準備する工程を有することを特徴とする試料作製方法。
【請求項５】
試料ステージ上に試料を載置する工程と、
前記試料ステージの該試料の載置面に対して、イオンビーム照射軸が３０度から７５度の範囲となるようイオンビームを該試料に照射する工程と、
前記工程の後に、該試料の表面の法線を回転軸として前記試料ステージを回転させ、該試料へのイオンビーム照射軸と該試料の表面とのなす角度は固定してイオンビームを該試料に照射し、該試料から微小試料を分離または分離準備する工程を有することを特徴とする試料作製方法。
【請求項６】
試料ステージ上に試料を載置する工程と、
前記試料ステージの該試料の載置面に対して、イオンビーム照射軸が３０度から７５度の範囲となるようイオンビームを該試料に照射する工程と、
前記工程の後に、該試料の表面の法線を回転軸として該試料を回転させ、該試料へのイオンビーム照射軸と該試料の表面とのなす角度は固定してイオンビームを該試料に照射し、該試料から微小試料を分離または分離準備する工程を有することを特徴とする試料作製方法。
【請求項７】
試料ステージ上に試料を載置する工程と、
前記試料ステージ上の該試料に前記試料の表面に対する垂直線分に対して傾斜する方向からイオンビームを照射する工程と、
前記試料ステージの該試料の載置面に対する垂直線分を回転軸として前記試料ステージを回転させる工程と、
前記試料ステージ上の該試料に前記試料の表面に対する垂直線分に対して傾斜する方向からイオンビームを照射し、該試料から微小試料を分離または分離準備する工程を有することを特徴とする試料作製方法。
【請求項８】
試料ステージ上に試料を載置する工程と、
前記試料ステージ上の該試料に前記試料の表面に対する垂直線分に対して傾斜する方向からイオンビームを照射する第１の加工工程と、
前記第１の加工工程の後に、前記試料ステージの該試料の載置面に対する垂直線分を回転軸として前記試料ステージを回転させる試料回転工程と、
前記試料回転工程の後に、前記試料ステージ上の該試料に前記試料の表面に対する垂直線分に対して傾斜する方向からイオンビームを照射する第２の加工工程と、
前記第１及び第２の加工工程により、該試料から分離または分離準備された微小試料を摘出する工程を有することを特徴とする試料作製方法。
【請求項９】
試料ステージ上に試料を載置する工程と、
前記試料ステージ上の該試料に前記試料の表面に対する垂直線分に対して傾斜する方向から前記試料ステージを傾斜させずにイオンビームを照射する工程と、
前記試料ステージの該試料の載置面に対する垂直線分を回転軸として前記試料ステージを傾斜させずに前記試料ステージを回転させる工程と、
前記試料ステージ上の該試料に前記試料の表面に対する垂直線分に対して傾斜する方向から前記試料ステージを傾斜させずにイオンビームを照射することにより、該試料から微小試料を分離または分離準備する工程を有することを特徴とする試料作製方法。
【請求項１０】
試料ステージ上に試料を載置する工程と、
前記試料ステージ上の該試料にイオンビームを照射することにより、該試料の表面に対する垂直線分に対して傾斜する第１の溝を該試料に形成する第１の加工工程と、
前記試料ステージの該試料の載置面に対する垂直線分を回転軸として前記試料ステージを回転させる工程と、
前記試料ステージ上の該試料にイオンビームを照射することにより、該試料の表面に対する垂直線分に対して傾斜する第２の溝を該試料に形成する第２の加工工程により、該試料から微小試料を分離または分離準備する工程を有することを特徴とする試料作製方法。
【請求項１１】
試料ステージ上に試料を載置する工程と、
前記試料ステージ上の該試料にイオンビームを照射することにより、該試料の表面に対する垂直線分に対して傾斜する第１の溝を該試料に形成する加工工程と、
前記試料ステージの該試料の載置面に対する垂直線分を回転軸として前記試料ステージを回転させる工程と、
イオンビームの照射により該試料の表面に対する垂直線分に対して傾斜する第２の溝を該試料に形成することで、前記第１の溝と前記第２の溝により微小試料の底を形成し、該試料から該微小試料を分離または分離準備する工程を有することを特徴とする試料作製方法。
【請求項１２】
試料ステージ上に試料を載置する工程と、
前記試料ステージ上の該試料にイオンビームを照射することにより、前記試料ステージを傾斜させることなく該試料の表面に対する垂直線分に対して傾斜する第１の溝を該試料に形成する第１の加工工程と、
前記試料ステージの該試料の載置面に対する垂直線分を回転軸として前記試料ステージを傾斜させることなく前記試料ステージを回転させることにより該試料を回転させる工程と、
イオンビームの照射により前記試料ステージを傾斜させることなく該試料の表面に対する垂直線分に対して傾斜する第２の溝を該試料に形成する第２の加工工程と、
前記第１及び第２の加工工程により前記第１の溝と前記第２の溝により微小試料の底を形成し、該試料から分離または分離準備された該微小試料を摘出する工程を有することを特徴とする試料作製方法。
【請求項１３】
試料ステージ上に試料を載置する工程と、
前記試料ステージ上の該試料にイオンビームを照射することにより、該試料の表面に対する垂直線分に対して傾斜する第１の溝を該試料に形成する第１の処理工程と、
前記試料ステージの該試料の載置面に対する垂直線分を回転軸として前記試料ステージを約１８０度回転させる工程と、
イオンビームの照射により該試料の表面に対する垂直線分に対して傾斜する第２の溝を微小試料の底が形成されるまで該試料に形成する第２の処理工程と、
前記第１及び第２の溝により形成された前記底を有する微小試料を該試料からプローブにより摘出する工程を有することを特徴とする試料作製方法。
【請求項１４】
試料ステージ上に試料を載置する工程と、
前記試料ステージ上の該試料にイオンビームを照射することにより、該試料の表面に対する垂直線分に対して傾斜する第１の溝を該試料に形成する第１の処理工程と、
前記試料ステージの該試料の載置面に対する垂直線分を回転軸として前記試料ステージを約９０度回転させる工程と、
イオンビームの照射により該試料の表面に対する垂直線分に対して傾斜する第２の溝を微小試料の底が形成されるまで該試料に形成する第２の処理工程と、
前記第１及び第２の溝により形成された前記底を有する該微小試料を該試料からプローブにより摘出する工程を有することを特徴とする試料作製方法。
【請求項１５】
試料ステージ上に半導体ウェーハを載置する工程と、
前記試料ステージの該半導体ウェーハの載置面に対して傾斜したイオンビームを該半導体ウェーハに照射することで、該半導体ウェーハの垂直線分に対して傾斜する第１の溝を形成する工程と、
該試料載置面を傾斜させることなく該載置面に対する垂直線分を回転軸として前記試料ステージを回転させる工程と、
該載置面に対して傾斜したイオンビームを該半導体ウェーハに照射し、該半導体ウェーハの垂直線分に対して傾斜する第２の溝を形成する工程により、該半導体ウェーハから分離される微小試料の辺の一部を前記第１の溝と前記第２の溝との交線により形成する工程を有することを特徴とする試料作製方法。
【請求項１６】
請求項１、２および７から１５のいずれか１項記載の試料作製方法において、
該イオンビームの照射は、イオンビームの照射軸と該載置面とのなす角が３０度から７５度の範囲となるように行われることを特徴とする試料作製方法。
【請求項１７】
請求項１から８、１０、１１、および１３から１５のいずれか１項記載の試料作製方法において、
該イオンビームの照射は、試料ステージを傾斜させることなく行われることを特徴とする試料作製方法。
【請求項１８】
請求項１４記載の試料作製方法において、
前記試料ステージを回転させる工程は、９０度回転させる工程であることを特徴とする試料作製方法。
【請求項１９】
請求項１３項記載の試料作製方法において、
前記試料ステージを回転させる工程は、１８０度回転させる工程であることを特徴とする試料作製方法。
【請求項２０】
請求項１から１５いずれか１項記載の試料作製方法において、
該イオンビームの照射は、該試料又は該半導体ウェーハが割断されることなく行われることを特徴とする試料作製方法。
【請求項２１】
請求項１から１４いずれか１項記載の試料作製方法において、
前記試料は半導体ウェーハであることを特徴とする試料作製方法。
【発明の詳細な説明】
【技術分野】
【０００１】
本発明は、半導体ウェーハやデバイスなどの電子部品等の試料から所望の特定領域を含む微小試料を、集束イオンビームを用いて分離または分離準備して、微小領域分析や観察、計測用の試料作製方法および試料作製装置に関する。
【背景技術】
【０００２】
ダイナミックランダムアクセスメモリに代表される半導体メモリやマイクロプロセッサ、半導体レーザなど半導体デバイス、および磁気ヘッドなど電子部品の製造においては、高歩留り製造が求められる。すなわち不良発生による製品歩留りの低下は、採算の悪化を招く。このため、不良の原因となる欠陥や異物、加工不良の早期発見および早期対策が大きな課題となる。例えば、半導体デバイスの製造現場では、入念な検査による不良発見、およびその発生原因の解析に注力されている。ウェーハを用いた実際の電子部品製造工程では、工程途中のウェーハを検査して、回路パターンの欠陥や異物など異常箇所の原因を追及して対策方法が検討される。
【０００３】
通常、試料の微細構造観察には高分解能の走査型電子顕微鏡（以下、SEMと略記）が用いられるが、半導体の高集積化に伴い、対象物がSEMの分解能では観察できなくなっており、SEMに代ってさらに観察分解能が高い透過型電子顕微鏡（以下、TEMと略記）が用いられる。
【０００４】
従来のTEM試料作製には劈開や切断などで試料を小片にする作業が伴い、試料がウェーハの場合は、ほとんどの場合にはウェーハを割断せざるを得なかった。
【０００５】
最近では、イオンビームを試料に照射し、スパッタ作用によって試料を構成する粒子が試料から放出される作用を応用した微小領域の加工方法、すなわち集束イオンビーム（以下、FIBと略す）加工を利用する例がある。これは、まずダイシング装置等を用いてウェーハ等の試料から観察すべき領域を含む厚さサブミリメートルの短冊状ペレットに切り出す。次に、この短冊状ペレットの一部をFIBによって薄壁状に加工してTEM試料とする。ここでFIB加工されたTEM観察用の試料の特徴は、試験片の一部がTEM観察用に、厚さが約100nmの薄膜に加工してあることにある。この方法によって、所望の観察部をマイクロメートルレベルの精度で位置出しして観察することが可能になったが、やはりウェーハを割断しなければならない。
【０００６】
このように、半導体デバイス等の製造途中で、ある工程の結果を監視することは、歩留まり管理上、その利点は大きいが、既に述べたような試料作製ではウェーハは割断され、ウェーハの破片は次のプロセスに進むことなく廃棄される。特に近年ではウェーハは、半導体デバイスの製造単価を下げるため大口径化が進んでいる。すなわち、１枚のウェーハで製造できる半導体デバイスの個数を増やして、単価を低減する。しかし逆にウェーハそのものの価格が高価となり、また、製造工程が進むに従い付加価値が増し、さらには、ウェーハの破棄によって失われる半導体デバイスの個数も増大する。従って、従来のウェーハの分断を伴うような検査方法は非常に不経済であった。
【０００７】
これに対して、ウェーハを分断することなく試料作製できる方法がある。この方法は、特開平０５−５２７２１号公報『試料の分離方法及びこの分離方法で得た分離試料の分析方法』（特許文献１）に開示されている。この方法は図２に示すように、まず、試料２の表面に対しFIB１が直角に照射するように試料２の姿勢を保ち、試料上でFIB１を矩形に走査させ、試料表面に所要の深さの角穴７を形成する（図２(a)）。次に、試料２を傾斜させ、底穴８を形成する。試料２の傾斜角の変更は、試料ステージ（図示せず）によって行われる（図２(b)）。試料２の姿勢を変更し、試料２の表面がFIB１に対して再び垂直になるように試料２を設置し、切り欠き溝９を形成する（図２(c)）。マニピュレータ（図示せず）を駆動し、マニピュレータ先端のプローブ３の先端を、試料２を分離する部分に接触させる（図２(d)）。ガスノズル１０から堆積性ガス５を供給し、 FIB１をプローブ３の先端部を含む領域に局所的に照射し、イオンビームアシストデポジション膜（以下、デポ膜４と略す）を形成する。接触状態にある試料２の分離部分とプローブ３の先端はデポ膜４で接続される（図２(e)）。 FIB１で残りの部分を切り欠き加工し（図２(f)）、試料２から分離試料であるマイクロサンプル６を切り出す。切り出された分離試料６は、接続されたプローブ３で支持された状態になる（図２(g)）。このマイクロサンプル６を、FIB１で加工し、観察しようとする領域をウォール加工するとTEM試料（図示せず）となる。ウェーハなど試料から所望の解析領域を含む微小試料を、FIB加工と微小試料の搬送手段を駆使して分離する方法である。この方法で分離した微小試料を各種解析装置に導入することで解析することができる。
【０００８】
また、同様な試料作製方法として、特開平０９−１９６２１３号公報『微小試料作製装置およびその方法』（特許文献２）にも開示されている。この方法は、図９に示すように、まず始めに、ＦＩＢ１を照射し目標位置識別のためのマーク４０３、４０４を形成し、その後その両外側に矩形穴４０１、４０２を試料２に形成する（図９(a)）。次にＦＩＢ１により矩形溝４０６を形成する（図９(b)）。
次に、試料ステージを傾けてＦＩＢ１を試料表面に斜めから照射することにより、斜溝４０８を形成し、試料４と一部の支持部４０５のみで接続された摘出試料４０７を形成する（図９(c)）。試料台傾斜を戻し、プローブ３を、プローブ制御装置により制御し、摘出試料４０７の一部に接触させる。この摘出試料の支持部４０５は後程ＦＩＢにより切断するわけであるが、プローブドリフト等を考慮した場合、短時間で切断することが望ましいため、支持部体積は小さくする必要がある。このため、プローブ３の接触により支持部４０５が破壊される恐れがあるため、上記プローブ制御法を使用して損傷をできるだけ抑えて接触させる。接触させたプローブ７と摘出試料４０７を、デポ膜４０９を用いて固定する（図９(d)）。次に、支持部４０５をＦＩＢ１で切断する（図９(e)）。こうして、摘出試料４０７を切り出し、プローブ３をプローブ駆動装置によって上昇させ摘出する（図９(f)）。次に、この切り出された摘出試料４０７を摘出試料ホルダに形成された溝４１１への接触を行う（図９(g)）。このときの接触は摘出試料４０７が破壊されたりデポ膜４０９部で摘出試料４０７が外れて消滅してしまわないように充分小さな速度で接触させる必要があり、上記接触法が必要となる。こうして接触させた後、デポ膜４１２を用いて両者を固定する（図９(h)）。固定後、プローブ３接続部にＦＩＢを照射し、スパッタ加工を行い、プローブを摘出試料４０７から分離する（図９(i)）。TEM試料とする場合には最後に、再度、ＦＩＢ１を照射して、最終的に観察領域４１０を厚さ１００ｎｍ以下程度に薄く仕上げ加工を施す（図９(j)）。他の分析、計測の試料の作製に用いる場合、観察領域を薄く仕上げる加工（図９(j)）は必ずしも必要ではない。
【０００９】
また、以上は試料作製装置でマイクロサンプルを取り出す方法を採用した例であるが、試料作製装置で、マイクロサンプルの形状を加工し、試料作製装置から基板を取り出して、大気中で別の機構でマイクロサンプルを取り出す方法もある。例えば、Material Research Society, Symposium Proceeding vol.480の19頁から27頁にかけてL.A. Giannuzziらの『Focused Ion Beam Milling and Micromanipulation Lift-Out for Site Specific Cross-Section TEM Specimen Preparation』（非特許文献１）と題する論文で説明されている。また、同様にProceedings of the 22 nd International Symposium for Testing and Failure Analysisの199頁から205頁にかけて、L.  R.  Herlingerらの『TEM Sample Preparation Using a Focused Ion Beam and a Probe Manipulator』（非特許文献２）と題する論文でも説明されている。
【００１０】
これは、図３(a)に示すように、ウェーハ２０８上の目標位置の両側を階段状にFIB1で加工して断面試料薄膜２０７を作製し、次に試料ステージを傾斜することによって、FIB1と試料表面とのなす角度を変えて、試料に照射し、図３(b)に示すようにFIB1で試料薄膜周辺を切り、試料薄膜２０７をウェーハと分離する。
そして、FIB装置からウェーハを取りだし、大気中でガラス棒を加工部分に接近させ、静電気を利用して試料薄膜２０７をガラス棒に吸着させてウェーハから取り出し、このガラス棒をメッシュ２０９に移動させ、メッシュ上の静電吸着させるか、透明接着物に加工面を面するように設置する。このように、加工を施した微小試料を装置内で取り出さなくとも、微小試料の外形のほとんどをイオンビームによって加工しても、分離した微小試料をTEMに導入することで解析することができる。
【００１１】
これらの手法を用いれば、ウェーハを分断することなく、試料から検査用の微小試料や薄片試料のみを取り出し、取り出されたウェーハは次のプロセスに戻すことも可能となる。従って、従来のようにウェーハの分断によって失われる半導体デバイスはなくなり、トータルの半導体デバイスの製造歩留りを高め、製造コストを低減することができる。
【００１２】
【特許文献１】特開平０５−５２７２１号公報
【特許文献２】特開平０９−１９６２１３号公報
【非特許文献１】L.A. Giannuzziら、”Focused Ion Beam Milling and Micromanipulation Lift-Out for Site Specific Cross-Section TEM Specimen Preparation”、Material Research Society, Symposium Proceeding vol.480、p.19-27
【非特許文献２】L.R.Herlingerら、”TEM Sample Preparation Using a Focused Ion Beam and a Probe Manipulator”、Proceedings of the 22 nd International Symposium for Testing and Failure Analysis、p.199-205
【発明の開示】
【発明が解決しようとする課題】
【００１３】
以上のべた従来の手法では次のような問題がある。つまり、上記引用文献１では底穴８を形成するため、引用文献２では斜溝４０８を形成するため、また、非引用文献２では試料薄膜２０７周辺を切り取るために、必要不可欠な工程として試料２の傾斜角度を姿勢変更するが、これは試料ステージによって行なわれる。しかし、ウェーハの大口径化に伴い、試料ステージも大型化する。大型ステージを精度よく傾斜させるには時間を要し、結果的に試料作製時間が長くなってしまう問題があった。また、試料ステージ自体の大重量のために傾斜前後でユーセントリックが保たれずにFIB光学系に対する試料位置が移動してしまうため、FIBの焦点が試料表面から比較的大きくはずれ、試料表面が観察できなくなり、FIB光学系の再調整を余儀なくされる問題も発生する。また、試料ステージの傾斜機能は試料ステージそのものと、試料ステージを内包する試料室を大型化させる原因である。
昨今の潮流はウェーハ直径が200ｍｍから300ｍｍに移行しているところで、さらに400ｍｍに進展すれば、ステージの大型化は余儀なくされ、上述のような試料ステージ傾斜に伴う問題の解決を避けては通れなくなる。これに対し、装置の試料ステージに傾斜機能を省略できれば、装置全体の小型化が実現し試料傾斜に伴う試料位置のズレなどの問題は解決するが、上述した従来の手法では元の試料（ウェーハ）から微小試料を分離または分離準備して、微小領域分析や観察、計測用の試料作製は実現できなくなる。そもそも、試料の傾斜角度の姿勢変更を必要不可欠としていたのは、微小試料を元試料から分離または分離準備するためには、試料面に対して、少なくとも２方向の異なる角度のイオンビーム照射が必要不可欠との固定観念が存在したためである。なお、ここでステージの傾斜とは、ステージ面内に含まれる線分もしくは平行な線分を軸として、ステージを回転することとし、以降単純にステージの傾斜と記述する。
【００１４】
上述の問題点に鑑み、本願の第１の目的は、従来の固定観念を打破することによって試料ステージを傾斜することなく、半導体ウェーハやデバイスなどの電子部品等の元試料から所望の特定領域を含む微小試料を、分離または分離準備して、微小領域分析や観察、計測用の試料作製方法を提供することにある。また、第２の目的は上記第１の目的を達成するために好適な試料作製装置を提供することにある。
【課題を解決するための手段】
【００１５】
以上に述べたような第１の目的は、以下のようにすることによって達成される。
【００１６】
試料の傾斜角度の姿勢変更を必要不可欠であるとの従来の固定観念を打破するための本発明の基本要素は、まず、（１）試料の載置面と、試料へのイオンビーム照射軸とのなす角度を固定して、イオンビームを前記試料に複数の方向から照射して、試料の所望の部分を分離または分離準備することを特徴とするイオンビーム加工方法とする。
【００１７】
本手段のイオンビーム加工方法によると、試料ステージを傾斜することなく、半導体ウェーハやデバイスなどの電子部品等の試料から所望の特定領域を含む微小試料を、分離または分離準備して、微小領域分析や観察、計測用のイオンビーム加工方法を実現できる。
【００１８】
（２）試料へのイオンビーム照射軸と試料表面とのなす角度を、０度を超えて大きくとも９０度未満として、イオンビームを前記試料に照射し、試料へのイオンビーム照射軸と試料表面とのなす角度を固定して、試料の所望の部分をイオンビームの照射により分離または分離準備することを特徴とする試料の分離方法とする。
【００１９】
本手段の試料作製方法によると、試料ステージを傾斜することなく、半導体ウェーハやデバイスなどの電子部品等の試料から所望の特定領域を含む微小試料を、分離または分離準備して、微小領域分析や観察、計測用の試料作製方法を実現できる。また、
（３）試料へのイオンビーム照射軸と試料表面とのなす角度を３０度から７５度として、イオンビームを前記試料に照射し、試料へのイオンビーム照射軸と試料表面とのなす角度を固定して試料の所望の部分をイオンビームの照射により分離または分離準備することを特徴とする試料の分離方法とする。
【００２０】
本手段の試料作製方法によると、試料ステージを傾斜することなく、半導体ウェーハやデバイスなどの電子部品等の試料から所望の特定領域を含む微小試料を、分離または分離準備して、微小領域分析や観察、計測用の試料作製方法を実現できる。特にFIB照射角度が３０から７５度で行うことにより、試料表面の観察が好適で、かつ微小試料形状も作製に適した形状にすることができる。また、（４）集束イオンビームの照射光学系と、上記集束イオンビームの照射によって試料から発生する二次粒子を検出する二次粒子検出手段と、上記試料基板を載置する試料ステ−ジとを少なくとも有する試料作製装置を用いて、試料から微小試料を分離または分離準備する試料作製方法において、試料への集束イオンビーム照射軸と試料表面とのなす角度を、０度を超えて大きくとも９０度未満として集束イオンビームを試料に照射し、次に試料を、試料表面法線を回転軸として回転させ、試料への集束イオンビーム照射軸と試料表面とのなす角度は固定して試料に照射し、微小試料を分離または分離準備することを特徴とする試料作製方法としても上記目的は実現する。
【００２１】
すなわち、従来の固定観念を打破するための本発明の要素は、試料ステージの試料表面法線を回転軸とした回転動作を、目的に適して試料作製方法に組み込むことである。本手段の試料作製方法によると、試料ステージを傾斜することなく、半導体ウェーハやデバイスなどの電子部品等の試料から所望の特定領域を含む微小試料を、分離または分離準備して、微小領域分析や観察、計測用の試料作製方法を実現できる。
【００２２】
また、試料ステージが傾斜機能を持つ装置の場合でも、ステージの傾斜時間が必要なく、試料作製時間が相対的に短縮される。また、試料ステージの傾斜前後で試料表面が観察できなくなるという問題も低減される。
【００２３】
（５）上記（４）記載の試料作製方法において、前記試料の所望の部分をプローブで支持することを特徴とする試料作製方法とする。
【００２４】
本手段の試料作製方法によると、試料ステージを傾斜することなく、半導体ウェーハやデバイスなどの電子部品等の試料から所望の特定領域を含む微小試料を、分離して、微小領域分析や観察、計測用の試料作製方法を実現できる。また、プローブで微小試料を支持し、試料基板から抜き出すことによって、微小試料断面を詳細に観察可能となり、高精度に断面加工位置を制御できる。なお、微小試料の支持方法は、デポ膜による固定や、静電気力による固定等、微小試料を指示できる方法であれば良い。
【００２５】
（６）観察、分析あるいは計測するための試料作製方法であって、試料への集束イオンビーム照射軸と試料表面とのなす角度を、０度を超えて大きくとも９０度未満の角度で集束イオンビームを試料に照射することによって角穴を形成する工程と、試料を、試料表面法線を回転軸として回転させる工程と、回転後に集束イオンビーム照射によって上記試料基板の表面に対して斜め溝を形成する工程とによって、試料基板に支持部で保持された片持ち試料を形成する工程と、上記片持ち試料の所望の部分に移送手段の所望の部分を接触させ、デポガスを照射しつつ上記接触部を含む領域に集束イオンビーム照射してデポ膜を形成することで、上記片持ち試料と移送手段の所望の部分を固着させる工程と、集束イオンビ−ム照射することで上記支持部を切断する工程と、を含むことを特徴とする試料作製方法とする。
【００２６】
本手段の試料作製方法によると、試料ステージを傾斜することなく、半導体ウェーハやデバイスなどの電子部品等の試料から所望の特定領域を含む微小試料を、分離または分離準備して、微小領域分析や観察、計測用の試料作製方法を実現できる。また、微小試料断面を詳細に観察可能となり、高精度に断面加工位置を制御できる。
【００２７】
（７）観察、分析あるいは計測するための試料作製方法であって、試料への集束イオンビーム照射軸と試料表面とのなす角度を、０度を超えて大きくとも９０度未満として、集束イオンビームを照射することによって角穴を作製し薄膜を形成する工程と、試料を、試料表面法線を回転軸として回転させる工程と、回転後に集束イオンビーム照射によって上記試料薄膜を分離するか、もしくは分離準備する工程と、を含むことを特徴とする試料作製方法とする。
【００２８】
本手段の試料作製方法によると、試料ステージを傾斜することなく、半導体ウェーハやデバイスなどの電子部品等の試料から所望の特定領域を含む微小試料を、分離または分離準備して、微小領域分析や観察、計測用の試料作製方法を実現できる。また、イオンビームアシストデポ等の工程を含まないため、試料作製時間を短縮することができる。
【００２９】
（８）上記（３）、（４）、（５）、（６）、（７）記載の試料作製方法において、複数の微小試料作製方法であって、少なくとも２個以上の微小試料を分離または分離準備するために、微小試料の周辺をイオンビームで全工程の途中まで加工後、次に試料を回転した後、各々の微小試料周辺の加工を順次継続することを特徴とする試料作製方法。
【００３０】
本手段の試料作製方法によると、試料ステージを傾斜することなく、半導体ウェーハやデバイスなどの電子部品等の試料から所望の特定領域を含む微小試料を、分離または分離準備して、微小領域分析や観察、計測用の試料作製方法を実現できる。特に、複数の試料をスループット高く作製することができる。
【００３１】
また、第２の目的は、以下のようにすることによって達成される。
【００３２】
（９）集束イオンビームの照射光学系と、試料基板を載置する試料ステージとを少なくとも有し、試料基板から微小試料を分離または分離準備する集束イオンビーム装置において、集束イオンビームの照射光学系を含む機械カラムの概略中心軸と、試料ステージの試料の載置面とのなす角度を固定した構造であり、試料の所望の部分を分離する手段、および分離した試料を支持するプローブを備えることを特徴とする試料作製装置とする。
【００３３】
本手段の試料作製装置によると、試料ステージを傾斜することなく、半導体ウェーハやデバイスなどの電子部品等の試料から所望の特定領域を含む微小試料を、分離または分離準備して、微小領域分析や観察、計測用の試料の作製を行うための試料作製装置を実現できる。また、また、プローブで微小試料を支持し、試料基板から抜き出すことによって、微小試料断面を詳細に観察可能となり、高精度に断面加工位置を制御できる試料作製装置を実現できる。なお、微小試料の支持方法は、デポ膜による固定や、静電気力による固定等、微小試料を指示できる方法であれば良い。
【００３４】
（１０）集束イオンビームの照射光学系と、該集束イオンビームの照射によって試料から発生する二次粒子を検出する二次粒子検出手段と、試料基板を載置する試料ステージとを少なくとも有し、試料基板から微小試料を分離または分離準備する試料作製装置において、試料への集束イオンビーム照射軸と試料表面とのなす角度が、０度を超えて大きくとも９０度未満であり、試料ステージが試料表面法線を回転軸として回転させる機能を有し、回転後に試料を分離または分離準備する集束イオンビームの照射位置を、上記集束イオンビームの照射または別に設けた電子ビーム照射系からの電子ビームによって試料から発生する二次粒子によって形成する二次粒子像を表示する画像表示手段を利用することによって決定する機能を有することを特徴とする試料作製装置とする。
【００３５】
本手段の試料作製装置によると、試料ステージを傾斜することなく、半導体ウェーハやデバイスなどの電子部品等の試料から所望の特定領域を含む微小試料を、分離または分離準備して、微小領域分析や観察、計測用の試料の作製を行うための装置操作の自動化や、操作者の負担を軽減できると言う観点で好適で、試料表面損傷が少なく、かつ短時間の試料作製が可能になる試料作製装置を実現できる。
【００３６】
（１１）集束イオンビームの照射光学系と、該集束イオンビームの照射によって試料から発生する二次粒子を検出する二次粒子検出手段と、試料基板を載置する試料ステージとを少なくとも有し、試料基板から微小試料を分離または分離準備する試料作製装置において、試料への集束イオンビーム照射軸と試料表面とのなす角度を０度を超えて大きくとも９０度未満であり、試料ステージが試料表面法線を回転軸として回転させる機能を有し、回転後に試料を分離または分離準備する集束イオンビームの照射位置を、上記集束イオンビームまたは別に設けた電子ビーム照射系からの電子ビームの照射によって試料から発生する二次粒子によって形成する二次粒子像を画像処理した結果を利用して、決定する機能を有することを特徴とする試料作製装置とする。
【００３７】
本手段の試料作製装置によると、試料ステージを傾斜することなく、半導体ウェーハやデバイスなどの電子部品等の試料から所望の特定領域を含む微小試料を、分離または分離準備して、微小領域分析や観察、計測用の試料の作製を行うための装置操作の自動化や、操作者の負担を軽減できると言う観点で好適で、試料表面損傷が少なく、かつ短時間の試料作製が可能になる試料作製装置を実現できる。
【００３８】
（１２）集束イオンビームの照射光学系と、該集束イオンビームの照射によって試料から発生する二次粒子を検出する二次粒子検出手段と、試料基板を載置する試料ステージとを少なくとも有し、試料基板から微小試料を分離または分離準備する試料作製装置において、試料への集束イオンビーム照射軸と試料表面とのなす角度が３０度から７５度の範囲であり、試料ステージが試料表面法線を回転軸として回転させる機能を有し、上記試料基板の所望の部分を分離した摘出微小試料を別の部材に移し変える移送手段と、上記微小摘出試料を載置する試料ホルダの保持手段とを有することを特徴とする試料作製装置とする。
【００３９】
本手段の試料作製装置によると、試料ステージを傾斜することなく、半導体ウェーハやデバイスなどの電子部品等の試料から所望の特定領域を含む微小試料を、分離または分離準備して、微小領域分析や観察、計測用の試料の作製をするのに適しており、特にFIB照射角度が３０から７５度で行うことにより、試料表面の観察が好適で、かつ微小試料形状も作製に適した形状にすることができる。さらに短時間の試料作製が可能になる試料作製装置を実現できる。
【００４０】
（１３）集束イオンビームの照射光学系と、該集束イオンビームの照射によって試料から発生する二次粒子を検出する二次粒子検出手段と、試料基板を載置する試料ステージとを少なくとも有し、試料基板から微小試料を分離または分離準備する試料作製装置において、試料への集束イオンビーム照射軸と試料表面とのなす角度が４５度であり、試料ステージが試料表面法線を回転軸として回転させる機能を有し、上記試料基板の所望の部分を分離した摘出微小試料を別の部材に移し変える移送手段と、上記微小摘出試料を載置する試料ホルダの保持手段とを有することを特徴とする試料作製装置とする。
【００４１】
本手段の試料作製装置によると、試料ステージを傾斜することなく、半導体ウェーハやデバイスなどの電子部品等の試料から所望の特定領域を含む微小試料を、分離または分離準備して、微小領域分析や観察、計測用の試料の作製を、試料表面と試料断面の両者を、FIB照射により観察する場合に、いずれもFIB照射角度が45度とすることができ，両者を同様な条件で行うことができ試料を分離もしくは分離準備するのに適しており、さらに試料表面損傷が少なく、かつ短時間の試料作製が可能になる試料作製装置を実現できる。
【００４２】
（１４）上記（１０）、（１１）、（１２）および（１３）記載の試料作製装置において、試料への集束イオンビーム照射軸が、集束イオンビーム照射光学系の構成要素である概略中心対称の対物レンズの機械的中心軸と概略一致することを特徴とする試料作製装置とする。
【００４３】
本手段の試料作製装置によると、試料ステージを傾斜することなく、半導体ウェーハやデバイスなどの電子部品等の試料から所望の特定領域を含む微小試料を、分離または分離準備して、微小領域分析や観察、計測用の試料の作製が可能になる試料作製装置を実現するのに、集束イオンビーム照射光学系の構成要素である概略中心対称の対物レンズと試料ステージ面のなす角度を機械的に規定すれば実現できるので、装置設計を単純化できる。
【００４４】
（１５）集束イオンビームの照射光学系と、集束イオンビームの照射によって試料から発生する二次粒子を検出する二次粒子検出手段と、試料基板を載置する試料ステ−ジとを少なくとも有し、試料基板から微小試料を分離または分離準備するために、その微小試料の周りに、試料基板に対して複数の入射方向から集束イオンビームを照射して、微小試料を分離または分離準備する試料作製装置において、その集束イオンビーム照射光学系に試料への集束イオンビーム照射軸を少なくとも１５度変えられる、集束イオンビーム傾斜機能を持たせたことを特徴とする試料作製装置とする。
【００４５】
本手段の試料作製装置によると、試料ステージを傾斜することなく、半導体ウェーハやデバイスなどの電子部品等の試料から所望の特定領域を含む微小試料を、分離または分離準備して、微小領域分析や観察、計測用の試料の作製が可能になる試料作製装置が、集束イオンビーム入射方向を少なくとも１５度変えられる、集束イオンビーム傾斜機能により実現される。特に、試料作製において集束イオンビーム入射角度を選択できるので多様な試料作製方法および試料形状を実現できる。
【００４６】
（１６）上記（１５）記載の試料作製装置において、試料への集束イオンビーム照射軸を少なくとも１５度変えられる、集束イオンビーム傾斜機能が、集束イオンビーム照射光学系を含む機械的カラムの試料ステージに対する傾斜角度可変機構により実現されることを特徴とする試料作製装置とする。
【００４７】
本手段の試料作製装置によると、試料ステージを傾斜することなく、半導体ウェーハやデバイスなどの電子部品等の試料から所望の特定領域を含む微小試料を、分離または分離準備して、微小領域分析や観察、計測用の試料の作製が可能になる試料作製装置が、集束イオンビーム照射系を含む機械的カラムの試料ステージに対する傾斜角度可変機構により実現される。特に、試料作製において集束イオンビーム入射角度を選択できるので多様な試料作製方法および試料形状を実現できる。
【００４８】
（１７）上記（１５）記載の試料作製装置において、試料への集束イオンビーム照射軸を少なくとも１５度変えられる、集束イオンビーム傾斜機能が、電気的偏向機構により実現されることを特徴とする試料作製装置とする。
【００４９】
本手段の試料作製装置によると、試料ステージを傾斜することなく、半導体ウェーハやデバイスなどの電子部品等の試料から所望の特定領域を含む微小試料を、分離または分離準備して、微小領域分析や観察、計測用の試料の作製が可能になる試料作製装置が、電気的偏向機構により実現される。特に、機械的装置構成が単純化され、製造コストを低下でき、さらに試料作製において集束イオンビーム入射角度を選択できるので多様な試料作製方法および試料形状を実現できる。
【００５０】
（１８）上記（１０）、（１１）、（１２）、（１３）、（１４）、（１５）、（１６）、および（１７）記載の試料作製装置において、試料ステージが、ステージ面内に含まれる線分もしくは平行な線分を傾斜軸とする傾斜角度を固定する構造とすることを特徴とする試料作製装置。とする。
【００５１】
本手段の試料作製装置によると、試料ステージが傾斜機能を持たないため、装置全体の小型化が実現し、かつ、半導体ウェーハやデバイスなどの電子部品等の試料から所望の特定領域を含む微小試料を、分離または分離準備して、微小領域分析や観察、計測用の試料の作製が可能になる試料作製装置を実現できる。
【００５２】
（１９）上記（９）、（１０）、（１１）、（１２）、（１３）、（１４）、（１５）、（１６）、および（１７）記載の試料作製装置において、試料ステージが、ある特定の固定した角度で回転するステージと、任意の角度で回転可能なステージの合体で構成されることを特徴とする試料作製装置とする。
【００５３】
本手段の試料作製装置によると、試料ステージが傾斜機能を持たないため、装置全体の小型化が実現し、かつ、半導体ウェーハやデバイスなどの電子部品等の試料から所望の特定領域を含む微小試料を、分離または分離準備して、微小領域分析や観察、計測用の試料の作製が可能になる試料作製装置を実現できる。特に、位置合わせに必要な時間を節約して、試料作製のスループットを上げるのに好適となる。
【００５４】
（２０）上記（９）、（１０）、（１１）、（１２）、（１３）、（１４）、（１５）、（１６）、および（１７）記載の試料作製装置において、試料ステージが、９０度および１８０度少なくともいずれか一つの固定角度で回転するステージと、任意の角度で回転可能なステージの合体で構成されることを特徴とする試料作製装置。
【００５５】
本手段の試料作製装置によると、試料ステージが傾斜機能を持たないため、装置全体の小型化が実現し、かつ、半導体ウェーハやデバイスなどの電子部品等の試料から所望の特定領域を含む微小試料を、分離または分離準備して、微小領域分析や観察、計測用の試料の作製が可能になる試料作製装置を実現できる。特に、位置合わせに必要な時間を節約して、試料作製のスループットを上げるのに好適となる。
【発明の効果】
【００５６】
本願による試料作製方法では、微小試料を試料基板から分離する一連の工程で、FIBと試料表面とのなす角度は変更されることがなく、ステージを傾斜する工程は含まない。したがって、本願による試料作製方法では、装置全体の小型化のため、試料ステージの傾斜機能を省略しても、試料から微小試料を分離または分離準備して、微小領域分析や観察、計測用の試料作製が可能となる。また、試料ステージが傾斜機能を持つ装置の場合でも、ステージを傾斜時間が必要なく、試料作製時間が相対的に短縮される。また、試料ステージの傾斜前後で試料表面が観察できなくなるという問題も低減される。
【００５７】
また、本願による試料作製装置によると、試料から微小試料を分離または分離準備して、微小領域分析や観察、計測用の試料作製を、装置操作の自動化や、操作者の負担を軽減できると言う観点で好適な試料作製装置が提供される。
【発明を実施するための最良の形態】
【００５８】
本発明による試料作製装置の実施の形態は、ステージ上の試料表面と集束イオンビーム照射軸とのなす角度が０度を超えて大きくとも９０度未満の角度で集束イオンビームが照射されるように配置した集束イオンビーム照射光学系と、上記集束イオンビームの照射によって試料から発生する二次粒子を検出する二次粒子検出手段と、傾斜機構を有しない構造の試料ステ−ジとを少なくとも有する構成とする。
【００５９】
以下に、その具体的実施形態例を示す。
＜実施形態例１＞
本願による一実施の形態である試料作製装置の概略構成図を、図４を用いて説明する。
【００６０】
試料作製装置１７は、真空容器４１を有しており、真空容器内には、イオン源３２、ビーム制限アパーチャ３３、イオンビーム走査電極３４、およびイオンビームレンズ３１などから構成されるFIB照射光学系３５、FIB照射によって試料から放出する二次電子や二次イオンを検出する二次粒子検出器３６、イオンビーム照射領域にデポ膜を形成するための元材料ガスを供給するデポガス源３７、マニュピュレータ４２先端に取り付けたプローブ３、半導体ウェーハや半導体チップなどの試料基板３８を載置する試料ステージ３９、試料基板の一部を摘出した微小な摘出試料を固定する試料ホルダ４０などが配置されている。ここで、FIB照射光学系３５は、対物レンズ４４の概略中心軸と試料表面のなす角度が45度になるようにステージ３９に対して設置されている。また、試料ステージは試料表面に対する垂直線分を回転軸として回転させる機能を有している。また本装置を制御する装置として、主に電気回路や演算装置からなるステージ制御装置６１、マニュピレータ制御装置６２、二次電子検出器の増幅器６３、デポガス源制御装置６４、FIB制御装置６５、および計算処理装置７４、などが配置される。計算処理装置７４では、上記FIBの照射によって試料から発生する二次電子によって形成する二次電子像を画像処理することによって試料形状を認識する機能を有する。
また、試料形状情報によりFIB制御装置６５によってFIB１を試料形状の所望の位置に照射する機能を有する。
【００６１】
次に、本試料作製装置の動作について説明する。まず、イオン源３２から放出したイオンをビーム制限アパーチャ３３、イオンビームレンズ３１、対物レンズ４４を通して試料基板３８に照射する。FIB１は試料上で直径数ナノメートルから１マイクロメートル程度に細束化される。FIB１を試料基板３８に照射するとスパッタリング現象により試料表面の構成原子が真空中に放出される。したがってイオンビーム走査電極３４を用いてFIB１を走査させることで、マイクロメートルからサブマイクロメートルレベルの加工ができることになる。また、デポジションガスを試料室中に導入しながらFIB１を試料基板３８に照射することによって、デポ膜を形成することができる。このように、FIB１によるスパッタリングあるいはデポジションを巧みにつかって試料基板３８を加工することができる。
FIB１照射によって形成するデポ膜は、プローブ３の先端にある接触部と試料を接続したり、摘出試料を試料ホルダ４０に固定するために使用する。また、FIB１を走査して、試料から放出される二次電子や二次イオンを二次粒子検出器３６で検出して、その強度を画像の輝度に変換することによって試料基板３８やプローブ３などを観察することができる。
【００６２】
次に、本願による一実施の形態である試料作製方法について、図１を用いて説明する。ここで、図１の理解のため、補足として図８に、FIB照射軸を試料表面に対して法線で作製した角穴５０１(a)と、FIB照射軸を試料表面に対して45度で作製した角穴５０２(b)を示すので参考にされたい。試料作製は、まず、基板にTEM観察用の薄膜作製の位置を示すマークと保護膜を作成する。次に、基板表面に対するFIBの照射軸を試料表面に投影した方向を一辺とする矩形に、FIB１を試料基板上で走査させ、深さ方向に傾斜した深さ約15μｍの２つの角穴１０１(図a)と、同様に深さ方向に傾斜した切り欠き溝１０２（図b）を形成する。なお、FIB照射軸は試料表面に対して45度である。次に、試料表面に対する垂直軸を回転軸として、試料を約180度回転させる。ここで、FIB１の照射によって試料から発生する二次電子によって形成する二次電子像を画像処理することによって、これまでに形成した２つの角穴および、切り欠き溝を認識する。そして、試料形状情報によりFIB制御装置６５によってFIB照射位置を制御し、同様に深さ方向に傾斜した溝１０３を形成する(図c)。次に、プローブ制御装置を駆動して、プローブ３の先端を基板上のマイクロサンプル６に接触させる。次にガスノズルから堆積性ガスを供給し、FIB１をプローブ３の先端部を含む領域に局所的に照射し、デポ膜１０５を形成して、接触状態にある基板の分離部分とプローブ３とを接続する(図d)。FIB１で支持部１０４を切除することで、マイクロサンプル６は接続されたプローブ３で支持された状態になる(図e) 。プローブ３を上方に移動させることでマイクロサンプル６は摘出できる(図f)。以降の工程は従来と同じである。
すなわち、プローブを試料面上方で停止させている間に試料台を動作させて、マイクロサンプルをサンプルメッシュに移動する。マイクロサンプルは、デポ膜でサンプルメッシュに固定する。FIBでプローブを切断し、微小試料から分離する。最後に、この微小試料の中の観察領域をFIBで厚さ100ｎｍ程度に薄膜化し、TEM試料が完成する。
【００６３】
なお、本手法では(図c)における深さ方向に傾斜した溝を形成するのに、試料を約180度回転させて行っているが、試料表面に対する垂直軸を回転軸として、約90度回転させて形成しても良い。この場合のマイクロサンプル形状は図５（a）に示すようになり、試料を約180度回転させて行った上記の例では図５（b）に示すようになる。また、２つの角穴(図a)と、同様に深さ方向に傾斜した切り欠き溝（図b）、および試料を約180度もしくは約90度回転させて形成した溝(図c)の形成順序に特に限定はない。
【００６４】
また、本実施の形態では、FIBの照射によって試料から発生する二次電子によって形成する二次電子像を画像処理することによって、これまでに形成した２つの角穴および、切り欠き溝を認識し、この試料形状情報によりFIB制御装置によってFIB照射位置を制御した。これにより操作の自動化が可能になったり、操作者の負担を軽減できる。しかし、必ずしも、画像処理装置を用いる必要は無く、装置操作者が、二次電子像を画像表示装置で観察してFIB照射位置を制御してもよい。
【００６５】
また、複数の微小試料作製をする場合には、各々の試料を順序にしたがって作製することは可能であるが、まず、深さ方向に傾斜した深さ約15μｍの２つの角穴１０１(図a)と、同様に深さ方向に傾斜した切り欠き溝１０２（図b）を、必要な場所に複数の試料に必要な個数まず形成する。次に、試料表面に対する垂直軸を回転軸として、試料を約180度回転させる。次に、各々の試料の位置合わせに続き、各々の試料に対して深さ方向に傾斜した溝１０３を形成する(図c)。次に、プローブ制御装置を駆動して、プローブ３を使って、複数のマイクロサンプル６を、順序にしたがってTEM試料作製する。このようにすると、比較的時間を要する回転操作を減少させることができるため、各々の試料を順序にしたがって作製するよりも、複数の試料をスループット高く作製することができる。
【００６６】
以上に述べた実施の形態では、微小試料を試料基板から分離する一連の工程で、FIBと試料表面とのなす角度は45度で変更されることは無い。すなわち、ステージを傾斜する工程は含まない。したがって、本実施の形態によると、装置全体の小型化のため、試料ステージの傾斜機能を省略しても、試料から微小試料を分離または分離準備して、微小領域分析や観察、計測用の試料作製が可能となる。
また、本実施の形態とは異なり、試料ステージが傾斜機能を持つ装置の場合でも、本発明は有効で、ステージを傾斜時間が必要なく、試料作製時間が相対的に短縮される。また、試料ステージの傾斜前後で試料表面が観察できなくなるという問題も低減される。また、本実施の形態では、TEM試料用薄膜加工時に微小試料を試料基板から抜き出しているため、微小試料断面を詳細に観察可能となり、高精度に断面加工位置を制御できる。
【００６７】
また、本実施の形態によると、試料から微小試料を分離または分離準備して、微小領域分析や観察、計測用の試料作製を、装置操作の自動化や、操作者の負担を軽減できると言う観点で好適な試料作製装置が提供される。
【００６８】
また、本実施の形態で、試料ステージを、ある特定の固定した角度で回転するステージと、任意の角度で回転可能なステージの合体で構成する。固定した角度で回転するステージは、上記で述べた180度回転もしくは90度回転で動作させる。任意の角度で回転するステージは試料上で加工位置の調整等で動作させる。一般に、任意角度回転ステージはその回転角度を決める精度はせいぜい0.01度である。本実施の形態のように、回転後に微小な位置合わせを必要とする場合には精度が不足する。しかし、ある特定の固定した角度の回転のみの機能のステージではさらに回転精度をあげることが可能である。したがって、本実施の形態で180度回転もしくは90度回転後に加工位置を合わせるのに、固定した角度で回転するステージを動作させるのは、位置合わせに必要な時間を節約して、試料作製のスループットを上げるのに好適となる。
【００６９】
なお、本実施の形態では、FIB照射軸が試料表面に対して45度になるようにしたが、45度にすると試料表面と試料断面の両者を、FIB照射により観察する場合に、いずれもFIB照射角度が45度となり，両者を同様な条件で行うことができるので試料を分離もしくは分離準備するのに適している。しかし、必ずしも45度に限定されず、90度未満の角度であれば本発明の効果を得ることができる。ただし、FIB照射軸が試料表面に対して30度未満にすると、微小試料を分離するための加工領域が拡大し、試料表面を無駄に消費する。また、75度以上になると実際の加工壁面の表面に対する角度は90度近くになり微小試料を分離するための加工深さが増し、加工時間が長くなったり、さらには微小試料の分離が不可能になる場合がある。したがって、微小試料を分離するためには、ビームの試料照射軸と試料表面のなす角度は、30度から75度までの範囲が好ましい。
【００７０】
また、本実施の形態では、FIB照射軸が試料表面に対して45度となるように、集束イオンビーム照射系の対物レンズの機械的概略中心軸を、試料基板表面に対して45度の角度をなすように設定し装置設計を単純化したが、45度以外に設定してもイオンビーム偏向によりFIB照射軸が試料表面に対して45度となるようにすることは可能である。
【００７１】
なお、以上の実施の形態では、試料として形状が平面的な半導体ウェーハを例にしたが、必ずしも平面的な試料でなくても、任意形状の試料でも本発明は有効である。以上の説明では、試料表面とイオンビーム試料照射軸との角度を記述したが、任意形状の試料の場合、試料ステージの試料載置面との角度を固定して、試料作製すれば良い。例えば、試料から微小部品を本発明により分離して、別の微小部品と接続して、ある微細な機械構造あるいは微細デバイス等を作製する、いわゆるマイクロマシニングにも適用可能である。
【００７２】
すなわち、本例を実施するのに好適な試料作製装置は、集束イオンビームの照射光学系を含む機械カラムの概略中心軸と、試料ステージの試料の載置面とのなす角度を固定した構造であり、試料の所望の部分を分離する手段、および分離した試料を支持するプローブを備えることを特徴とする試料作製装置とすれば良い。試料として、形状が平面的な半導体ウェーハでは、試料の載置面と試料面は平行な面であり、集束イオンビームの試料照射軸と試料表面とのなす角度と、集束イオンビームの試料照射軸と試料ステージの試料の載置面とのなす角度が同義であることはいうまでも無い。
【００７３】
なお、本実施の形態では、集束イオンビームを試料上で走査する。この際、集束イオンビームの試料への入射角度は、走査位置に依存して微小に変化するが、このような走査に伴うイオンビームの入射角度変化は、集束イオンビームの試料照射軸と試料表面の角度変化には含めないこととする。すなわち、集束イオンビームを試料上で走査しても、集束イオンビームの試料照射軸と試料表面の角度を固定することは可能とする。また、集束イオンビームの試料照射軸とは、走査を停止し、走査電極による偏向が無い時の、イオンビームが試料表面に入射するときのイオンビームの中心線を指すものとする。
＜実施形態例２＞
次に、本願による一実施の形態である別の試料作製方法について、図６を用いて説明する。試料作製装置は図４に示した装置と同様とする。
【００７４】
まず、試料基板にTEM観察用の薄膜作製の位置を示すマークと保護膜を作成する。基板表面に対するFIB１の照射軸を試料表面に投影した方向を一辺とする矩形に、FIBを試料基板上で走査させ、深さ方向に傾斜した深さ約15μｍの２つの角穴３０１(図a)を形成する。ここで、２つの角穴間の薄膜が目的となる試料で、その厚さは約100nmとする。次に薄膜部の両端３０２を切りこみを入れる。次に、試料表面に対する垂直軸を回転軸として、試料を約90度回転させる。ここで、FIB１の照射によって試料から発生する二次電子によって形成する二次電子像を画像処理することによって、これまでに形成した２つの角穴切り欠き溝３０１を認識する。そして、試料形状情報によりFIB制御装置６５によってFIB照射位置を制御し、(図c)に示すようにFIB1で試料薄膜底辺を切り取り、試料薄膜３０３を試料基板から分離する。もしくは、分離までは至らずも、後工程で分離するための準備として、わずかな衝撃で破断可能な指示部を残して加工を終了する。その後、試料作製装置から試料基板を取りだし、大気中でガラス棒３０４の静電気を利用して、試料薄膜３０３を試料基板からTEM試料ホルダに移動させる。ここで、マイクロサンプルである試料薄膜３０３が完全に分離されていない場合は、ガラス棒３０４によって衝撃を微小試料指示部に加えることによって、試料薄膜３０３を試料基板から切り離し後、同様にガラス棒３０４の静電気を利用して、試料薄膜３０３を試料基板からTEM試料ホルダに移動させる。このように、マイクロサンプルである試料薄膜３０３を装置内で取り出さなくとも、微小試料の外形のほとんどをイオンビームによって加工する試料作製方法および試料作製装置も本願に含む。
【００７５】
なお、本手法では(図b)において、試料薄片の両側の少なくとも一方に切りこみを入れるのに、試料を約90度回転前に行っているが、回転後に行っても良い。
また、２つの角穴作製、試料薄片の両側の切断、および試料薄片の底辺の切断等に形成順序に特に限定はない。
【００７６】
また、本実施の形態では、画像処理を用いたが、装置操作者が、二次電子像を観察してFIB照射位置を制御してもよいことは、実施の形態例１と同様である。
【００７７】
以上に述べた実施の形態では、試料を試料基板から分離または分離準備する一連の工程で、FIBと試料表面とのなす角度は45度で変更されることは無い。すなわち、ステージを傾斜する工程は含まない。したがって、本実施の形態によると、装置全体の小型化のため、試料ステージの傾斜機能を省略しても、試料から微小試料を分離または分離準備して、微小領域分析や観察、計測用の試料作製が可能となる。また、本実施の形態とは異なり、試料ステージが傾斜機能を持つ装置の場合でも、ステージを傾斜時間が必要なく、試料作製時間が相対的に短縮される。また、試料ステージの傾斜前後で試料表面が観察できなくなるという問題も低減される。また、本実施の形態では、TEM試料用薄膜加工時に試料基板中に微小試料が存在するため、実施の形態例１に比べて、断面加工位置の精度は相対的に低くなるが、プローブ操作やプローブと微小試料との接着用にイオンビームアシストデポ等の工程を含まないため、試料作製時間を短縮することができる。
【００７８】
なお、実施形態例１と同様に、FIB照射角度は必ずしも45度に限定されず、90度未満の角度であれば本発明の効果を得ることができる。
＜実施形態例３＞
次に、本願による一実施の形態である電子ビーム照射装置を備えた試料作製装置の概略構成図を図７に示す。本試料作製装置１７は、真空容器４１を有しており、真空容器内には、FIB照射光学系３５、二次粒子検出器３６、デポガス源３７、プローブ３、試料ステージ３９等の構成は、実施形態例２の試料作製装置と同様である。また同様に、FIB照射光学系３５は、FIB照射軸が試料表面に対して45度になるようにステージ３９に対して設置されている。また、試料ステージは試料表面に対する垂直線分を回転軸として回転させる機能を有している。本装置では、電子ビームを放出する電界放射型電子銃８１、電子ビームレンズ８２、電子ビーム走査電極８３、などから構成される電子ビーム照射系を設置している。
また本装置を制御する装置として、ステージ制御装置６１、マニュピレータ制御装置６２、二次電子検出器の増幅器６３、デポガス源制御装置６４、FIB制御装置６５の他に電子銃制御装置９１、電子光学系制御装置９２、電子ビーム走査制御装置９３、および計算処理装置７４、などが配置される。また、計算処理装置７４では、上記FIB照射もしくは電子ビーム８４照射によって試料から発生する二次電子によって形成する二次電子像を画像処理することによって試料形状を認識する機能を有する。また、試料形状情報によりFIB制御装置６５によってFIBを試料形状の所望の位置に照射する機能および、電子ビーム制御装置９１によって電子ビーム８４を試料形状の所望の位置に照射する機能を有する。
【００７９】
FIB照射光学系３５の動作は実施の形態２と同様である。電子ビーム照射動作を次に説明する。電子ビーム照射装置の電子源は、電界放射型電子銃８１で、電子ビーム走査電極８４によって基板試料３８の任意の場所を狙うことが可能である。また、FIBが照射された加工領域４２を走査して照射することも可能となる。このためには、あらかじめ次の準備しておく、まずFIB１をスポット状に集束して試料に照射する。次にそのスポット状の照射痕を電子ビーム８４で走査して、二次電子を検出して、スポット状の照射痕を観察することで、FIB1照射位置と電子ビーム照射位置との関係を明らかにしておき、計算処理装置７４に記憶される。したがって、この記憶情報からFIB１加工位置に電子ビームを自動照射し、加工状況を観察することができる。以上、これらの制御は、計算処理装置７４によって統一して行われる。
【００８０】
試料作製方法については、実施の形態例１、および実施の形態例２で述べた方法と同様であるが、実施の形態例１、および実施の形態例２では、FIBの照射位置制御にFIB照射によって試料から発生する二次電子によって形成する二次電子像の画像処理を用いたが、本装置では、電子ビーム照射によって試料から発生する二次電子によって形成する二次電子像を用いることができる。電子ビーム照射による試料観察を用いると、FIB照射のみによる試料作製に比べ、はるかに試料表面損傷が少なく、かつ短時間の試料作製が可能になる。
【００８１】
また、本実施の形態によると、実施の形態例１、および実施の形態例２と同様に、試料から微小試料を分離または分離準備して、微小領域分析や観察、計測用の試料作製を、装置操作の自動化や、操作者の負担を軽減できると言う観点で好適な試料作製装置が提供されることは言うまでも無い。
＜実施形態例４＞
本願による一実施の形態である試料作製装置の概略構成図を、図１０を用いて説明する。
【００８２】
本実施例では、集束イオンビーム入射方向を少なくとも１５度変えられる、集束イオンビーム傾斜機能が、集束イオンビーム照射系を含む機械的カラムの試料ステージに対する傾斜角度可変機構により実現される。
【００８３】
試料作製装置１７は、真空容器４１を有しており、真空容器内には、イオン源３２、ビーム制限アパチャ３３、イオンビーム走査電極３４、およびイオンビームレンズ３１などから構成されるFIB照射光学系３５、FIB照射によって試料から放出する二次電子や二次イオンを検出する二次粒子検出器３６、イオンビーム照射領域にデポ膜を形成するための元材料ガスを供給するデポガス源３７、マニュピュレータ４２先端に取り付けたプローブ３、半導体ウェーハや半導体チップなどの試料基板３８を載置する試料ステージ３９、試料基板の一部を摘出した微小な摘出試料を固定する試料ホルダ４０などが配置されている。ここで、FIB照射光学系３５は、FIB照射軸が試料基板表面に対する角度が７５度から９０度まで設定できるように構成されている。この実施例では、FIB照射光学系３５と真空容器４１をベローズ４５で接続して、ベローズの変形を利用する。図１０(a)は、FIB照射軸が試料基板表面に対する角度が９０度の状態、図１０(b)は７５度の状態を示す。また本装置を制御する装置として、主に電気回路や演算装置からなるステージ制御装置６１、マニュピレータ制御装置６２、二次電子検出器の増幅器６３、デポガス源制御装置６４、FIB制御装置６５、および計算処理装置７４、などが配置される。
【００８４】
次に、本実施例による試料作製方法を、図１２で示す。すなわち、従来、試料ステージを傾けてＦＩＢ１を試料表面に斜めから照射することにより、斜溝４０８を形成したが、試料ステージを傾ける替わりに、イオンビーム照射系３５を図１０(b)に示すように傾斜させて、図１１(c)に示すように、斜溝４０８を形成すればよい。その他の工程は、従来と同じである。
【００８５】
本手段の試料作製装置によると、試料ステージを傾斜することなく、半導体ウェーハやデバイスなどの電子部品等の試料から所望の特定領域を含む微小試料を、分離または分離準備して、微小領域分析や観察、計測用の試料の作製が可能になる試料作製装置が、集束イオンビーム入射方向を少なくとも１５度変えられる、集束イオンビーム傾斜機能により実現される。特に、本実施例では、試料作製において集束イオンビーム入射角度を選択できるので多様な試料作製方法および試料形状を実現できる。
＜実施形態例５＞
本願による一実施の形態である試料作製装置の概略構成図を、図１１を用いて説明する。
【００８６】
本実施例では、集束イオンビーム入射方向を少なくとも１５度変えられる、集束イオンビーム傾斜機能が、電気的偏向により実現される。
【００８７】
試料作製装置１７は、真空容器４１を有しており、真空容器内に、FIB照射光学系３５、二次粒子検出器３６、デポガス源３７、プローブ３、試料ステージ３９、試料ホルダ４０などが配置されていることについては、上記実施の形態３と同様である。ここでは、さらに対物レンズ４４と試料ステージ３９との間に、角度変更用電極５１を設置した。そして、本電極によるイオンビーム偏向作用により、FIB照射軸が試料基板表面に対する角度が７５度から９０度まで変更して設定できる。また本装置を制御する装置として、主に電気回路や演算装置からなるステージ制御装置６１、マニュピレータ制御装置６２、二次電子検出器の増幅器６３、デポガス源制御装置６４、FIB制御装置６５、および計算処理装置７４、などが配置される。
【００８８】
次に、本実施例による試料作製方法を、図１２で示す。すなわち、従来、試料ステージを傾けてＦＩＢ１を試料表面に斜めから照射することにより、斜溝４０８を形成したが、試料ステージを傾ける替わりに、イオンビーム照射軸を、角度変更用電極５１により、図１１に示すように、試料に対して傾斜させて、図１１(c)に示すように、斜溝４０８を形成すればよい。その他の工程は、従来と同じである。
【００８９】
本手段の試料作製装置によると、試料ステージを傾斜することなく、半導体ウェーハやデバイスなどの電子部品等の試料から所望の特定領域を含む微小試料を、分離または分離準備して、微小領域分析や観察、計測用の試料の作製が可能になる試料作製装置が、集束イオンビーム入射方向を少なくとも１５度変えられる、角度変更用電極による電気的偏向作用により実現される。特に、機械的装置構成が単純化され、装置製造コストを低下でき、さらに試料作製において集束イオンビーム入射角度を選択できるので多様な試料作製方法および試料形状を実現できる。
【図面の簡単な説明】
【００９０】
【図１】本発明による試料作製方法の一実施形態を説明するための図。
【図２】従来のTEM試料の作製法で、特に、FIBと搬送手段を用いた例を説明するための図。
【図３】従来のTEM試料の作製法で、特に、試料基板中でFIBを用いて薄膜加工する例を説明するための図。
【図４】本発明による試料作製装置の一実施形態を示す構成ブロック図。
【図５】本発明による試料作製方法によって作製された微小試料の図。
【図６】本発明による試料作製方法の一実施形態を説明するための図。
【図７】本発明による試料作製装置の一実施形態を示す構成ブロック図。
【図８】図１を理解するための補足図。
【図９】従来のTEM試料の作製法で、特に、FIBと搬送手段を用いた例を説明するための図。
【図１０】本発明による試料作製装置の一実施形態を示す構成ブロック図。
【図１１】本発明による試料作製装置の一実施形態を示す構成ブロック図。
【図１２】実施形態の試料作製の手順を説明するための図。
【符号の説明】
【００９１】
１…FIB、２…試料、３…プローブ、４…デポ源、５…デポガス、６…マイクロサンプル、７…角穴、８…底穴、９…切り欠き溝、１０…ガスノズル、３１…イオンビームレンズ、３２…液体金属イオン源、３３…ビーム制限アパーチャ、３４…イオンビーム走査電極、３５…FIB照射光学系、３８…二次粒子検出器、３７…デポ源、３８…試料基板、３９…試料ステージ、４０…試料ホルダ、４１…真空容器、４２…マニュピレータ、４４…対物レンズ、４５…ベローズ、５１…角度変更用偏向電極、６１…ステージ制御装置、６２…マニュピレータ制御装置、６３…増幅器、６４…デポガス源制御装置、６５…FIB制御装置、７４…計算処理装置、７６…試料ホルダ、７７…ホルダカセット、７８…移送手段、８０…ステージ制御装置、８１…電界放射型電子銃、８２…電子ビームレンズ、８３…電子ビーム走査電極、８４…電子ビーム、９１…電子銃制御装置、９２…電子ビーム光学系制御装置、９３…電子ビーム走査制御装置、１０１…角穴、１０２…切り欠き溝、１０３…切り欠き溝、１０４…支持部、１０５…デポジション膜、２０７…試料薄膜、２０８…薄膜、２０９…ＴＥＭ試料ホルダ。３０１…角穴、３０２…薄膜両端、３０３…試料薄膜、３０４…ガラス棒。５０１…角穴、５０２…角穴。
【図１】
2008261891.tif 000003
【図２】
2008261891.tif 000004
【図３】
2008261891.tif 000005
【図４】
2008261891.tif 000006
【図５】
2008261891.tif 000007
【図６】
2008261891.tif 000008
【図７】
2008261891.tif 000009
【図８】
2008261891.tif 000010
【図９】
2008261891.tif 000011
【図１０】
2008261891.tif 000012
【図１１】
2008261891.tif 000013
【図１２】
2008261891.tif 000014
【手続補正書】
【提出日】平成20年8月8日(2008.8.8)
【手続補正２】
【補正対象書類名】明細書
【補正対象項目名】０００１
【補正方法】変更
【補正の内容】
【０００１】
本発明は、半導体ウェーハやデバイスなどの電子部品等の試料から所望の特定領域を含む微小試料を、集束イオンビームを用いて分離または分離準備して、微小領域分析や観察、計測用の試料作製方法に関する。
【手続補正３】
【補正対象書類名】明細書
【補正対象項目名】００１５
【補正方法】変更
【補正の内容】
【００１５】
本願発明は、試料ステージ上に試料を載置する工程と、試料ステージの該試料の載置面に対して傾斜したイオンビームを該試料に照射することで、該試料を加工する第１の加工工程と、試料ステージを回転させて、イオンビームを該試料に照射することで、該試料を加工する第２の加工工程と、第２の加工工程で得られた微小試料を摘出する工程を有する試料作製方法、に関する。
【手続補正４】
【補正対象書類名】明細書
【補正対象項目名】００１６
【補正方法】変更
【補正の内容】
【００１６】
また、本願発明は、試料ステージ上に試料を載置する工程と、該試料ステージの試料の載置面に対して傾斜したイオンビームを該試料に照射することで、該試料を加工する第１の加工工程と、試料載置面上の該試料を回転させて、イオンビームを試料に照射することで、試料を加工する第２の加工工程と、第２の加工工程で得られた微小試料を摘出する工程を有する試料作製方法、に関する。
【手続補正５】
【補正対象書類名】明細書
【補正対象項目名】００１７
【補正方法】変更
【補正の内容】
【００１７】
また、本願発明は、試料ステージ上に試料を載置する工程と、試料ステージの該試料の載置面に対して、イオンビーム照射軸が３０度から７５度の範囲となるようイオンビームを該試料に照射する工程と、工程の後に、該試料の表面の法線を回転軸として該試料を回転させ、イオンビームを該試料に照射し、該試料から微小試料を分離または分離準備する工程を有する試料作製方法、に関する。
【手続補正６】
【補正対象書類名】明細書
【補正対象項目名】００１８
【補正方法】変更
【補正の内容】
【００１８】
また、本願発明は、試料ステージ上に試料を載置する工程と、試料ステージの該試料の載置面に対して、イオンビーム照射軸が３０度から７５度の範囲となるようイオンビームを該試料に照射する工程と、工程の後に、該試料の表面の法線を回転軸としてステージを回転させ、イオンビームを該試料に照射し、該試料から微小試料を分離または分離準備する工程を有する試料作製方法、に関する。
【手続補正７】
【補正対象書類名】明細書
【補正対象項目名】００１９
【補正方法】変更
【補正の内容】
【００１９】
また、本願発明は、試料ステージ上に試料を載置する工程と、試料ステージの該試料の載置面に対して、イオンビーム照射軸が３０度から７５度の範囲となるようイオンビームを該試料に照射する工程と、工程の後に、該試料の表面の法線を回転軸として試料ステージを回転させ、該試料へのイオンビーム照射軸と該試料の表面とのなす角度は固定してイオンビームを該試料に照射し、該試料から微小試料を分離または分離準備する工程を有する試料作製方法、に関する。
【手続補正８】
【補正対象書類名】明細書
【補正対象項目名】００２０
【補正方法】変更
【補正の内容】
【００２０】
また、本願発明は、試料ステージ上に試料を載置する工程と、試料ステージの該試料の載置面に対して、イオンビーム照射軸が３０度から７５度の範囲となるようイオンビームを該試料に照射する工程と、工程の後に、該試料の表面の法線を回転軸として該試料を回転させ、該試料へのイオンビーム照射軸と該試料の表面とのなす角度は固定してイオンビームを該試料に照射し、該試料から微小試料を分離または分離準備する工程を有する試料作製方法、に関する。
【手続補正９】
【補正対象書類名】明細書
【補正対象項目名】００２１
【補正方法】変更
【補正の内容】
【００２１】
また、本願発明は、試料ステージ上に試料を載置する工程と、試料ステージ上の該試料に試料の表面に対する垂直線分に対して傾斜する方向からイオンビームを照射する工程と、試料ステージの該試料の載置面に対する垂直線分を回転軸として試料ステージを回転させる工程と、試料ステージ上の該試料に試料の表面に対する垂直線分に対して傾斜する方向からイオンビームを照射し、該試料から微小試料を分離または分離準備する工程を有する試料作製方法、に関する。
【手続補正１０】
【補正対象書類名】明細書
【補正対象項目名】００２２
【補正方法】変更
【補正の内容】
【００２２】
また、本願発明は、試料ステージ上に試料を載置する工程と、該試料ステージ上の試料に試料の表面に対する垂直線分に対して傾斜する方向からイオンビームを照射する第１の加工工程と、第１の加工工程の後に、試料ステージの該試料の載置面に対する垂直線分を回転軸として試料ステージを回転させる試料回転工程と、試料回転工程の後に、試料ステージ上の該試料に試料の表面に対する垂直線分に対して傾斜する方向からイオンビームを照射する第２の加工工程と、第１及び第２の加工工程により、該試料から分離または分離準備された微小試料を摘出する工程を有する試料作製方法、に関する。
【手続補正１１】
【補正対象書類名】明細書
【補正対象項目名】００２３
【補正方法】変更
【補正の内容】
【００２３】
また、本願発明は、試料ステージ上に試料を載置する工程と、試料ステージ上の該試料に試料の表面に対する垂直線分に対して傾斜する方向から試料ステージを傾斜させずにイオンビームを照射する工程と、試料ステージの該試料の載置面に対する垂直線分を回転軸として試料ステージを傾斜させずに試料ステージを回転させる工程と、試料ステージ上の該試料に試料の表面に対する垂直線分に対して傾斜する方向から試料ステージを傾斜させずにイオンビームを照射することにより、該試料から微小試料を分離または分離準備する工程を有する試料作製方法、に関する。
【手続補正１２】
【補正対象書類名】明細書
【補正対象項目名】００２４
【補正方法】変更
【補正の内容】
【００２４】
また、本願発明は、試料ステージ上に試料を載置する工程と、試料ステージ上の該試料にイオンビームを照射することにより、該試料の表面に対する垂直線分に対して傾斜する第１の溝を該試料に形成する第１の加工工程と、試料ステージの該試料の載置面に対する垂直線分を回転軸として試料ステージを回転させる工程と、試料ステージ上の該試料にイオンビームを照射することにより、該試料の表面に対する垂直線分に対して傾斜する第２の溝を該試料に形成する第２の加工工程により、該試料から微小試料を分離または分離準備する工程を有する試料作製方法、に関する。
【手続補正１３】
【補正対象書類名】明細書
【補正対象項目名】００２５
【補正方法】変更
【補正の内容】
【００２５】
また、本願発明は、試料ステージ上に試料を載置する工程と、試料ステージ上の該試料にイオンビームを照射することにより、該試料の表面に対する垂直線分に対して傾斜する第１の溝を試料に形成する加工工程と、試料ステージの該試料の載置面に対する垂直線分を回転軸として試料ステージを回転させる工程と、イオンビームの照射により試料の表面に対する垂直線分に対して傾斜する第２の溝を該試料に形成することで、第１の溝と第２の溝により微小試料の底を形成し、該試料から該微小試料を分離または分離準備する工程を有することを特徴とする試料作製方法、に関する。
【手続補正１４】
【補正対象書類名】明細書
【補正対象項目名】００２６
【補正方法】変更
【補正の内容】
【００２６】
また、本願発明は、試料ステージ上に試料を載置する工程と、試料ステージ上の該試料にイオンビームを照射することにより、試料ステージを傾斜させることなく該試料の表面に対する垂直線分に対して傾斜する第１の溝を試料に形成する第１の加工工程と、試料ステージの該試料の載置面に対する垂直線分を回転軸として試料ステージを傾斜させることなく試料ステージを回転させることにより該試料を回転させる工程と、イオンビームの照射により試料ステージを傾斜させることなく該試料の表面に対する垂直線分に対して傾斜する第２の溝を該試料に形成する第２の加工工程と、第１及び第２の加工工程により第１の溝と第２の溝により微小試料の底を形成し、該試料から分離または分離準備された該微小試料を摘出する工程を有する試料作製方法、に関する。
【手続補正１５】
【補正対象書類名】明細書
【補正対象項目名】００２７
【補正方法】変更
【補正の内容】
【００２７】
また、本願発明は、試料ステージ上に試料を載置する工程と、試料ステージ上の該試料にイオンビームを照射することにより、該試料の表面に対する垂直線分に対して傾斜する第１の溝を該試料に形成する第１の処理工程と、試料ステージの該試料の載置面に対する垂直線分を回転軸として試料ステージを約１８０度回転させる工程と、イオンビームの照射により該試料の表面に対する垂直線分に対して傾斜する第２の溝を微小試料の底が形成されるまで該試料に形成する第２の処理工程と、第１及び第２の溝により形成された底を有する微小試料を該試料からプローブにより摘出する工程を有することを特徴とする試料作製方法、に関する。
【手続補正１６】
【補正対象書類名】明細書
【補正対象項目名】００２８
【補正方法】変更
【補正の内容】
【００２８】
また、本願発明は、試料ステージ上に試料を載置する工程と、試料ステージ上の該試料にイオンビームを照射することにより、該試料の表面に対する垂直線分に対して傾斜する第１の溝を該試料に形成する第１の処理工程と、試料ステージの試料の載置面に対する垂直線分を回転軸として試料ステージを約９０度回転させる工程と、イオンビームの照射により該試料の表面に対する垂直線分に対して傾斜する第２の溝を微小試料の底が形成されるまで該試料に形成する第２の処理工程と、第１及び第２の溝により形成された底を有する該微小試料を該試料からプローブにより摘出する工程を有することを特徴とする試料作製方法、に関する。
【手続補正１７】
【補正対象書類名】明細書
【補正対象項目名】００２９
【補正方法】変更
【補正の内容】
【００２９】
また、本願発明は、試料ステージ上に半導体ウェーハを載置する工程と、試料ステージの該半導体ウェーハの載置面に対して傾斜したイオンビームを該半導体ウェーハに照射することで、該半導体ウェーハの垂直線分に対して傾斜する第１の溝を形成する工程と、該試料載置面を傾斜させることなく該載置面に対する垂直線分を回転軸として試料ステージを回転させる工程と、該載置面に対して傾斜したイオンビームを該半導体ウェーハに照射し、該半導体ウェーハの垂直線分に対して傾斜する第２の溝を形成する工程により、該半導体ウェーハから分離される微小試料の辺の一部を第１の溝と第２の溝との交線により形成する工程を有する試料作製方法、に関する。
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】削除
【補正の内容】
【手続補正２０】
【補正対象書類名】明細書
【補正対象項目名】００３２
【補正方法】削除
【補正の内容】
【手続補正２１】
【補正対象書類名】明細書
【補正対象項目名】００３３
【補正方法】削除
【補正の内容】
【手続補正２２】
【補正対象書類名】明細書
【補正対象項目名】００３４
【補正方法】削除
【補正の内容】
【手続補正２３】
【補正対象書類名】明細書
【補正対象項目名】００３５
【補正方法】削除
【補正の内容】
【手続補正２４】
【補正対象書類名】明細書
【補正対象項目名】００３６
【補正方法】削除
【補正の内容】
【手続補正２５】
【補正対象書類名】明細書
【補正対象項目名】００３７
【補正方法】削除
【補正の内容】
【手続補正２６】
【補正対象書類名】明細書
【補正対象項目名】００３８
【補正方法】削除
【補正の内容】
【手続補正２７】
【補正対象書類名】明細書
【補正対象項目名】００３９
【補正方法】削除
【補正の内容】
【手続補正２８】
【補正対象書類名】明細書
【補正対象項目名】００４０
【補正方法】削除
【補正の内容】
【手続補正２９】
【補正対象書類名】明細書
【補正対象項目名】００４１
【補正方法】削除
【補正の内容】
【手続補正３０】
【補正対象書類名】明細書
【補正対象項目名】００４２
【補正方法】削除
【補正の内容】
【手続補正３１】
【補正対象書類名】明細書
【補正対象項目名】００４３
【補正方法】削除
【補正の内容】
【手続補正３２】
【補正対象書類名】明細書
【補正対象項目名】００４４
【補正方法】削除
【補正の内容】
【手続補正３３】
【補正対象書類名】明細書
【補正対象項目名】００４５
【補正方法】削除
【補正の内容】
【手続補正３４】
【補正対象書類名】明細書
【補正対象項目名】００４６
【補正方法】削除
【補正の内容】
【手続補正３５】
【補正対象書類名】明細書
【補正対象項目名】００４７
【補正方法】削除
【補正の内容】
【手続補正３６】
【補正対象書類名】明細書
【補正対象項目名】００４８
【補正方法】削除
【補正の内容】
【手続補正３７】
【補正対象書類名】明細書
【補正対象項目名】００４９
【補正方法】削除
【補正の内容】
【手続補正３８】
【補正対象書類名】明細書
【補正対象項目名】００５０
【補正方法】削除
【補正の内容】
【手続補正３９】
【補正対象書類名】明細書
【補正対象項目名】００５１
【補正方法】削除
【補正の内容】
【手続補正４０】
【補正対象書類名】明細書
【補正対象項目名】００５２
【補正方法】削除
【補正の内容】
【手続補正４１】
【補正対象書類名】明細書
【補正対象項目名】００５３
【補正方法】削除
【補正の内容】
【手続補正４２】
【補正対象書類名】明細書
【補正対象項目名】００５４
【補正方法】削除
【補正の内容】
【手続補正４３】
【補正対象書類名】明細書
【補正対象項目名】００５５
【補正方法】削除
【補正の内容】
【手続補正書】
【提出日】平成20年8月29日(2008.8.29)
【手続補正１】
【補正対象書類名】図面
【補正対象項目名】全図
【補正方法】変更
【補正の内容】
【図１】
2008261891.tif 000015
【図２】
2008261891.tif 000016
【図３】
2008261891.tif 000017
【図４】
2008261891.tif 000018
【図５】
2008261891.tif 000019
【図６】
2008261891.tif 000020
【図７】
2008261891.tif 000021
【図８】
2008261891.tif 000022
【図９】
2008261891.tif 000023
【図１０】
2008261891.tif 000024
【図１１】
2008261891.tif 000025
【図１２】
2008261891.tif 000026